(57)【要約】      （修正有）【課題】製造コストを抑制することができるとともに、配線工程を簡略化することが可能な回路基板装置を提供する。 【解決手段】ミシン目が形成された連結部を介してメイン基板と第１のスイッチ基板３０とが一体的に連結されるとともに、ミシン目３５が形成された連結部３６を介して第１のスイッチ基板３０と第２のスイッチ基板４０とが一体的に連結されており、更に、第１のスイッチ基板３０と第２のスイッチ基板４０とがジャンパ線５０により電気的に接続されている。【選択図】図３
0003109873.tif 000002
【実用新案登録請求の範囲】
【請求項１】
２つに分割され得る状態で連結する分割手段を具備し、受信したテレビジョン放送電波に基づくテレビ映像を表示するテレビ機能と、挿入されたビデオテ−プを再生するビデオ再生機能とを具備するビデオ一体型テレビジョン装置に適用される回路基板装置において、
メイン基板と、スイッチの操作を検出する検出手段を具備する少なくとも２つの子基板とから構成され、
少なくとも２つの子基板同士が上記分割手段により連結され、
上記分割手段により連結されている子基板のいずれかと上記メイン基板とが上記分割手段により連結され、
上記分割手段により連結された２つの子基板同士は、ジャンパ線により電気的に接続されていることを特徴とする回路基板装置。
【請求項２】
２つに分割され得る状態で連結する分割手段を具備する回路基板装置において、
メイン基板と、少なくとも２つの子基板とから構成され、
少なくとも２つの子基板同士が上記分割手段により連結され、
上記分割手段により連結されている子基板のいずれかと上記メイン基板とが上記分割手段により連結され、
上記分割手段により連結された２つの子基板同士は、ジャンパ線により電気的に接続されていることを特徴とする回路基板装置。
【請求項３】
上記子基板は、スイッチの操作を検出する検出手段を具備するスイッチ基板であることを特徴とする請求項２に記載の回路基板装置。
【請求項４】
受信したテレビジョン放送電波に基づくテレビ映像を表示するテレビ機能と、挿入されたビデオテ−プを再生するビデオ再生機能とを具備するビデオ一体型テレビジョン装置に適用されることを特徴とする請求項３に記載の回路基板装置。
【考案の詳細な説明】
【技術分野】
【０００１】
本考案は、回路基板装置に関し、特に、２つに分割され得る状態で連結する分割手段を具備する回路基板装置に関するものである。
【背景技術】
【０００２】
従来、メイン基板と子基板とを、分割手段により分割可能な状態で連結し、子基板を不要とする場合には、同子基板を折曲する等して切離し、メイン基板のみを使用する一方、メイン基板と子基板との両方を必要とする場合には、メイン基板と子基板とが連結された状態で、分割手段を介してジャンパ線によりメイン基板と子基板とを電気的に接続して使用するようにした回路基板装置が知られている（例えば、特許文献１、２参照）。
【特許文献１】実開平１−７１４６０号公報
【特許文献２】特開昭５７−１３７９１号公報
【考案の開示】
【考案が解決しようとする課題】
【０００３】
ところで、複数の子基板を用いる場合、例えば、２つの子基板を用いる場合において、回路基板装置を設置する装置によっては、２つの子基板が一体的に設置される場合もあれば、２つの子基板を離れた位置に設置される場合もある。例えば、ビデオ一体型テレビジョン装置においては、テレビのチャンネル操作等を検出するスイッチ基板と、ビデオの再生や録画等にかかる操作等を検出するスイッチ基板とが、それぞれの操作スイッチの配置の関係上、一体的に設置される場合もあれば、離れた位置に設置される場合もある。
しかし、スイッチ基板同士を一体的に設置する場合および離間させて設置する場合のいずれにおいても、スイッチ基板とメイン基板とを、リ−ド線等により電気的に接続させなければならず、コスト高となるとともに配線工程が複雑になってしまう問題があった。
【０００４】
本考案は、かかる実情に鑑み、製造コストを抑制することができるとともに、配線工程を簡略化することが可能な回路基板装置を提供しようとするものである。
【課題を解決するための手段】
【０００５】
上記目的を達成するため、請求項２にかかる考案は、２つに分割され得る状態で連結する分割手段を具備する回路基板装置において、
メイン基板と、少なくとも２つの子基板とから構成され、
少なくとも２つの子基板同士が上記分割手段により連結され、
上記分割手段により連結された２つの子基板同士は、ジャンパ線により電気的に接続されている構成としてある。
【０００６】
上記のようにした請求項２にかかる考案において、回路基板装置は、２つの分割され得る状態で連結する分割手段を具備している。この分割手段としては、基板を２つに分割することができるものであれば特に限定されないが、基板同士を連結する連結部であって、折曲等により切離することが可能なようにミシン目が形成されたものや、切り込みが入れてあるもの等を挙げることができる。また、回路基板装置は、メイン基板と、少なくとも２つの子基板とから構成されており、少なくとも２つの子基板同士が分割手段により連結されている。また、分割手段により連結されている子基板のいずれかとメイン基板とが分割手段により連結されている。
【０００７】
さらに、回路基板装置は、分割手段により連結された２つの子基板同士が、ジャンパ線により電気的に接続された構成となっている。このようにすることにより、メイン基板と子基板とを切離して使用し、且つ、分割手段により連結された子基板を切離させずに一体的に使用する場合において、連結された子基板同士が電気的に接続されているため、同子基板のなかの一つをリ−ド線によりメイン基板と接続すれば足り、同子基板の各々とメイン基板とをリ−ド線で接続する必要がなくなく。これにより、使用するリ−ド線の数を減少させることができ、製造コストの低減に繋がるとともに、配線工程を簡略化することが可能となる。
【０００８】
また、請求項３にかかる考案は、上記子基板が、スイッチの操作を検出する検出手段を具備するスイッチ回路である構成としてある。
上記のように構成した請求項３にかかる考案において、複数のスイッチ操作部を隣接させて設置する場合等、スイッチ基板同士を一体的に設置する際に、製造コストの低減と配線工程の簡略化を実現することが可能となる。
【０００９】
さらに、請求項４にかかる考案は、受信したテレビジョン放送電波に基づくテレビ映像を表示するテレビ機能と、挿入されたビデオテ−プを再生するビデオ再生機能とを具備するビデオ一体型テレビジョン装置に適用される構成としてある。
上記のように構成した請求項４にかかる考案において、ビデオ一体型テレビジョン装置に本考案の回路基板装置を適用することが可能となる。
【考案の効果】
【００１０】
本考案の請求項２にかかる考案では、製造コストの低減に繋がるとともに、配線工程を簡略化することが可能となる。
請求項３にかかる考案では、スイッチ基板同士を一体的に設置する際に、製造コストの低減と配線工程の簡略化を実現することが可能となる。
請求項４にかかる考案では、ビデオ一体型テレビジョン装置に本考案の回路基板装置を適用することが可能となる。
【考案を実施するための最良の形態】
【００１１】
以下、下記の順序に従って本考案の実施形態を説明する。
（１）回路基板装置の構成：
（２）各種変形例：
（３）まとめ：
【００１２】
（１）回路基板装置の構成：
図１は、本考案にかかる回路基板装置を模式的に示す平面図であり、図２は、図１に示した回路基板装置の裏面図である。なお、本実施形態において説明する回路基板装置は、ビデオ一体型テレビジョン装置に適用される回路基板装置であるとして説明を行う。図１において、回路基板装置１０は、メイン基板２０と、子基板しての第１のスイッチ基板３０、および、子基板としての第２のスイッチ基板４０とから構成されている。メイン基板２０には、ビデオ一体型テレビジョン装置としての各種の機能を実現するための制御を行う主制御回路２１が配置されている。
【００１３】
また、第１のスイッチ基板３０には、ビデオ一体型テレビジョン装置に設けられたスイッチの押下を検出する検出手段としてのスイッチ素子３１が複数配置されている。第１のスイッチ基板３０に配置されるスイッチ素子３１は、受信チャンネルの切替、音量の増減、電源のオン／オフ等、テレビ機能にかかるスイッチの押下を検出するためのものとして設置される。一方、第２のスイッチ回路４０にもスイッチ素子４１が複数配置されているが、このスイッチ素子４１は、ビデオテ−プの再生、ビデオテ−プへの録画、早送り／巻き戻し等、ビデオ機能にかかるスイッチの押下を検出するためのものとして設置される。
【００１４】
上述したメイン基板２０と第１のスイッチ基板３０とは、連結部２６を介して一体的に形成されている。連結部２６には、複数のミシン目２５が形成されており、これにより、メイン基板２０に対して第１のスイッチ基板３０を折曲する等することにより、第１のスイッチ基板３０をメイン基板２０から切離することが可能である。なお、このミシン目２５が形成された連結部２６は、上記分割手段を構成するものである。
また、第１のスイッチ基板３０と第２のスイッチ基板４０とは、連結部３６を介して一体的に形成されている。連結部３６も上述した連結部３６と同様、複数のミシン目３５が形成されており、第１のスイッチ基板３０に対して第２のスイッチ基板４０を切離することが可能となっている。なお、連結部３６も上記分割手段を構成するものである。
【００１５】
第１のスイッチ基板３０と第２のスイッチ基板４０とは、金属製のワイヤからなるジャンパ線５０により電気的に接続されている。具体的には、図２に示すように第１のスイッチ基板３０の裏面側に配置された配線パタ−ン３３と、第２のスイッチ基板４０の裏面側に配置された配線パタ−ン４３とにジャンパ線５０の端部を接続させることにより電気的接続が実現している。このとき、ジャンパ線５０の端部は第１のスイッチ基板３０および第２のスイッチ基板４０を貫通して配線パタ−ン３３、４３とそれぞれ接続されているとともに、他の部分は、回路基板装置１０の表面側に配置されることとなる。
【００１６】
本実施形態においては、メイン基板２０から第１のスイッチ基板３０を切離させるとともに、第１のスイッチ基板３０と第２のスイッチ基板４０とは切離せずに一体的に使用する場合について説明するが、第１のスイッチ基板３０と第２のスイッチ基板４０とを切離して使用する場合には、切離させた後、ジャンパ線５０を切断すればよい。なお、第２のスイッチ基板４０の上部の左右２箇所、および、第１のスイッチ基板３０の下側中央部には、第１のスイッチ基板３０と第２のスイッチ基板４０とを一体的に固定する際のビス穴５１が形成されている。
【００１７】
図３は、図１、図２に示した回路基板装置１０において、第１のスイッチ基板３０および第２のスイッチ基板４０がメイン基板２０と切離されて取り付けられている様子を示す図である。同図において、第１のスイッチ基板３０と第２のスイッチ基板４０とが、連結部３６を介して一体となったままメイン基板２０と切離されている。すなわち、メイン基板２０に対して第１のスイッチ基板３０が折曲され、連結部２６におけるミシン目２５の部分から第１のスイッチ基板３０が切離されている。
【００１８】
第１のスイッチ基板３０および第２のスイッチ基板４０は、共にメイン基板２０と電気的に接続される必要があるが、本実施形態においては、第１のスイッチ基板３０と第２のスイッチ基板４０とは、ジャンパ線５０により電気的接続がされているため、第１のスイッチ基板３０および第２のスイッチ基板４０のうちの一方をメイン基板２０と接続すれば足りる。図３においては、第１のスイッチ基板３０からリ−ド線５５が延びており、このリ−ド線５５は、図示しないメイン基板２０と接続されるのである。一方、第１のスイッチ基板３０と第２のスイッチ基板４０とがジャンパ線５０により電気的に接続されていないと、第１のスイッチ基板３０と第２のスイッチ基板４０の両方からリ−ド線を延ばし、メイン基板２０に接続させる必要がある。
【００１９】
（２）各種変形例：
上述した実施形態においては、連結部（分割手段）により連結されている子基板のうちの一方（第１のスイッチ基板）がメイン基板に接続されている場合について説明したが、図４に示すように、連結部により連結されている複数の子基板のうちの２以上がメイン基板に接続される配置としてもよい。
図４は、本考案にかかる回路基板装置の別の一例を示す平面図である。同図において、回路基板装置１２０が具備するメイン基板２０の上側には、第１の子基板１３０と第２の子基板１４０とが左右に並んで連結されている。第１の子基板１３０と第２の子基板１４０とは、左右に並んだ状態で、ミシン目１２５が形成された連結部１３６を介してメイン基板１２０と一体的に連結されている。また、左右に並んで配置された第１の子基板１３０と第２の子基板１４０とは、ミシン目１３５が形成された連結部１３６を介して一体的に連結されている。
【００２０】
また、上述した実施形態においては、回路基板装置が２つの子基板を具備している場合について説明したが、本考案においては、３以上の子基板を具備していてもよい。また、３以上の子基板同士が分割手段により連結されていてもよい。
図５は、本考案にかかる回路基板装置の更に別の一例を示す平面図である。同図において、回路基板装置２１０が具備するメイン基板２０の上側には、長辺がメイン基板２０よりも短い第１の子基板２３０が連結されている。また、第１の子基板２３０の上側には、第１の子基板２３０と長辺を同じくする第２の子基板２４０が連結されている。さらに、第１の子基板２３０および第２の子基板２４０の右側には、第３の子基板２５０が連結されており、この第３の子基板２５０は、メイン基板２２０とも連結されている。
【００２１】
そして、第１の子基板２３０と第２の子基板２４０とは、ジャンパ線３５０により電気的に接続され、また、第２の子基板２４０と第３の子基板２５０とは、ジャンパ線４５０により電気的に接続されている。第１の子基板２３０、第２の子基板２４０および第３の子基板２５０を一体的に使用するときには、第１の子基板２３０、第２の子基板２４０および第３の子基板２５０のいずれかからリ−ド線を延ばしてメイン基板２２０に接続すればよい。
【００２２】
また、上述した実施形態では、ミシン目により基板同士を分割可能にしている場合について説明したが、本考案において、基板同士を分割することができるものであれば、このような構成に限定されるものではなく、例えば、分割される基板同士の境界部分に切り込みを入れる等してもよい。
【００２３】
また、上述した実施形態では、回路基板装置がビデオ一体型テレビジョン装置に適用される場合について説明したが、本考案の回路基板装置が適用される装置としては特に限定されるものではなく、ビデオ一体型テレビジョン装置の他、ＤＶＤ一体型テレビジョン装置、テレビジョン装置、ビデオデッキ等、各種の装置に適用することができる。
【００２４】
また、上述した実施形態では、子基板が、スイッチの操作を検出するスイッチ素子が配置されるスイッチ基板である場合について説明したが、本考案において子基板としては特に限定されるものではなく、上述したスイッチ素子の他、各種の回路が配置される基板とすることが可能である。
【００２５】
（３）まとめ：
以上説明したように、実施形態にかかる回路基板装置１０では、ミシン目２５が形成された連結部２６を介してメイン基板２０と第１のスイッチ基板３０とが一体的に連結されるとともに、ミシン目３５が形成された連結部３６を介して第１のスイッチ基板３０と第２のスイッチ基板４０とが一体的に連結されており、更に、第１のスイッチ基板３０と第２のスイッチ基板４０とがジャンパ線５０により電気的に接続されているため、メイン基板２０から第１のスイッチ基板３０と第２のスイッチ基板４０とを一体的に切離させて使用する際に、第１のスイッチ基板３０および第２のスイッチ基板４０のうちいずれか一方のみをリ−ド線５５によりメイン基板２０と接続すれば、第１のスイッチ基板３０とメイン基板２０の電気的接続、および、第２のスイッチ基板４０とメイン基板２０との電気的接続が成されるため、第１のスイッチ基板３０と第２のスイッチ基板４０との両方についてリ−ド線でメイン基板２０と接続させる必要がなく、製造コストの低減に繋がる戸とも、配線工程を簡略化することが可能となる。
【図面の簡単な説明】
【００２６】
【図１】実施形態にかかる回路基板装置を模式的に示す平面図である。
【図２】図１に示した回路基板装置の裏面図である。
【図３】図１、図２に示した回路基板装置において第１のスイッチ基板および第２のスイッチ基板とがメイン基板と切離されて取り付けられている様子を示す平面図である。
【図４】本考案にかかる回路基板装置の別の一例を示す平面図である。
【図５】本考案にかかる回路基板装置の更に別の一例を示す平面図である。
【符号の説明】
【００２７】
１０、１１０、２１０…回路基板装置
２０、１２０、 ２２０…メイン基板
２１…主制御回路
２５、３５、１２５、１３５…ミシン目
２６、、１２６、１３６…連結部
３０…第１のスイッチ基板（子基板）
３１、４１…スイッチ素子
４０…第２のスイッチ基板（子基板）
４２…ビス穴
５０、１５０、３５０、４５０…ジャンパ線
１３０、２３０…第１の子基板
１４０、２４０…第２の子基板
２５０…第３の子基板
【図１】
0003109873.tif 000003
【図２】
0003109873.tif 000004
【図３】
0003109873.tif 000005
【図４】
0003109873.tif 000006
【図５】
0003109873.tif 000007